(57)【要約】【課題】着信の報知方法を直感的に設定しやすい携帯電話機を提供する。【解決手段】着信音の音量の設定として最小音量が選択されていない場合には（Ｓ１６：Ｎｏ）、着信音の音量の減少を指示するキー操作に応じて、着信音の音量の設定を減少させ（Ｓ１８）、着信音の音量の設定として最小音量が選択されている場合には（Ｓ１６：Ｙｅｓ）、着信音の音量の減少を指示するキー操作に応じて、着信の報知方法をマナーモードに切り替える（Ｓ１７）。【選択図】    図５
2004343436.tif 000002
【特許請求の範囲】
【請求項１】
着信音の音量を抑えつつ、振動、発光、振動及び発光、のうちの何れかを用いて着信を報知するマナーモードを備える携帯電話機であって、
着信音の音量の減少を指示する減少キーの入力操作を受け付ける操作手段と、
前記減少キーの操作量が着信音の音量の設定を入力操作前の音量から最小音量に減少させる操作量を超えない場合には、前記操作量の増加に伴って段階的に着信音の音量の設定を入力操作前の音量から減少させ、前記操作量が着信音の音量の設定を入力操作前の音量から最小音量に減少させる操作量を越える場合には、前記マナーモードに設定する報知制御手段と
を備えることを特徴とする携帯電話機。
【請求項２】
前記操作手段は更に、
着信音の音量の増大を指示する増大キーの入力操作を受け付け、
前記報知制御手段は、
前記マナーモードに設定されていない状態で前記増大キーの入力操作を受け付けた場合には、前記増大キーの操作量の増加に伴って段階的に着信音の音量の設定を入力操作前の音量から増大させ、前記マナーモードに設定されている状態で前記増大キーの入力操作を受け付けた場合には、マナーモードを解除すること
を特徴とする請求項１記載の携帯電話機。
【請求項３】
前記減少キーの操作量、及び前記増大キーの操作量とは、
対応するキーの押下の回数であること
を特徴とする請求項２記載の携帯電話機。
【請求項４】
前記減少キーの操作量、及び前記増大キーの操作量とは、
対応するキーの押下が継続する時間であること
を特徴とする請求項２記載の携帯電話機。
【請求項５】
請求項２に記載の携帯電話機は、
所定の画面の表示中に、前記マナーモードに設定されている状態で前記操作手段において前記減少キーの入力操作を受け付けた場合に、前記所定の画面の表示を終了し、
前記報知制御手段は、
前記所定の画面の表示中にのみ、前記減少キーおよび前記増大キーの操作に応じて、前記着信音の音量の減少および増大と、前記マナーモードの設定および解除とを制御すること
を特徴とする請求項２記載の携帯電話機。
【請求項６】
前記報知制御手段は、
前記マナーモードに設定されている状態で前記所定の画面の表示を終了する場合に、マナーモードでの着信を報知する振動の有無、およびマナーモードでの着信を報知する発光の有無のうちの少なくとも１つを、前記減少キーおよび前記増大キーの操作に応じて設定すること
を特徴とする請求項５記載の携帯電話機。
【発明の詳細な説明】
【０００１】
【発明の属する技術分野】
本発明は、携帯電話機に関し、特に着信の報知方法を設定する技術に関する。
【０００２】
【従来の技術】
近年、携帯電話機は多機能化してきている。例えば、電話の着呼やメールの受信等（以下、これらを総称して着信という）をユーザに報知する着信音は、様々な電子音や音楽などを利用することができ、ユーザにとって大きな魅力となっている。
【０００３】
その一方で、携帯電話機は、その使用に際してはユーザにマナーが求められている。例えば、映画館、図書館といった静かな公共の場や、会議中などに着信音が大音量で鳴り出すことは、周囲の人に迷惑がかかるだけではなく、ユーザ本人にとっても好ましいことではない。このような場合は、着信音の音量を調節したり、無音化することが求められる。
【０００４】
しかし、ユーザには、上記のような場合にも着信があれば直ちに知りたいという要求もある。そこで、携帯電話機は、着信音の音量を抑えつつ、振動、発光等で着信を報知するマナーモード機能を備えている。
従来の携帯電話機は、着信音の音量、及びマナーモード等の設定を、非特許文献１に示されるような操作メニューを用いてそれぞれ設定することができる。
【０００５】
【非特許文献１】
「サンヨー製  携帯電話機  Ｊ−ＳＡ５１  取り扱いマニュアル」
【０００６】
【発明が解決しようとする課題】
しかしながら、携帯電話機の多機能化により、操作メニューには電話機本来の機能である着信や通話の設定以外にも、画像やメール等の各機能の設定が含まれ、非常に複雑であり、直感的に操作しにくくなっている。
そこで、着信の報知方法の設定に関して、更なる操作性の向上が求められている。
【０００７】
本発明は上記点に鑑み、着信の報知方法の設定が直感的に操作しやすい携帯電話機を提供することを目的とする。
【０００８】
【課題を解決するための手段】
上記目的を達成するために、本発明に係る携帯電話機は、着信音の音量を抑えつつ、振動、発光、振動及び発光、のうちの何れかを用いて着信を報知するマナーモードを備える携帯電話機であって、着信音の音量の減少を指示する減少キーの入力操作を受け付ける操作手段と、前記減少キーの操作量が着信音の音量の設定を入力操作前の音量から最小音量に減少させる操作量を超えない場合には、前記操作量の増加に伴って段階的に着信音の音量の設定を入力操作前の音量から減少させ、前記操作量が着信音の音量の設定を入力操作前の音量から最小音量に減少させる操作量を越える場合には、前記マナーモードに設定する報知制御手段とを備える。
【０００９】
これによって、着信音の音量を減少させる操作と、着信の報知方法をマナーモードに切り替える操作とを、同一のキー操作で指示することができる。
従って、着信音を減少させる操作と、マナーモードに設定する操作とを関連付けて感覚的に操作することができる。
【００１０】
【発明の実施の形態】
以下、本発明に係る携帯電話機の実施の形態について、図を用いて説明する。
＜構成＞
図１は、本実施の形態に係る携帯電話機の概観を示す図である。図に示すように携帯電話機は、第１筐体１と第２筐体２とが、ヒンジ等で屈曲自在に連結された折畳型であって、アンテナ１１、発光部１２、表示部１３、操作部１４を備える。また、第１筐体１の上端には受話孔が、第２筐体２の下端には送話孔が設けられ、それぞれ携帯電話機の内部に設けられたレシーバ、及びマイクへ音声を取り込むことができる。当該携帯電話機は、待ち受け時には、主に図１（ａ）に示す閉状態で、通話時、及び設定操作時には、図１（ｂ）に示す開状態で使用される。
【００１１】
発光部１２は、具体的にはＬＥＤ（Ｌｉｇｈｔ  Ｅｍｉｔｔｉｎｇ  Ｄｉｏｄｅ）等であり、発光により着信をユーザに報知する。発光部１２は、閉状態において外部に露出する第１筐体１の背面に設けられており、待ち受け時に閉状態で使用される場合にも、発光を視認する事ができる。尚、発光部１２の発光の強弱、継続時間などの明滅パターンは、操作メニューの対応する設定画面において設定することができ、設定した明滅パターンは、携帯電話機が内蔵するＲＡＭに記録される。
【００１２】
表示部１３は、具体的には液晶パネル、有機ＥＬパネルなどで実現され、制御部から信号が送られ、通話画面、待ち受け画面、操作メニュー（設定画面）等を表示する。
操作部１４は、電話番号、文字等の入力、及び各種設定の操作に用いる複数のキーからなる。
【００１３】
当該携帯電話機は、通話状態、待ち受け状態、及び設定操作状態の３つの動作の状態を遷移し、操作部１４の各キーは、制御部によって通話状態、待ち受け状態、及び設定操作状態のそれぞれの動作の状態において異なる機能が割り当てられる。操作部１４の複数のキーの中で、特に着信報知の設定に用いる操作キー１４ａおよび決定キー１４ｂについて以下に説明する。
【００１４】
操作キー１４ａは、「上」、「下」、「右」、「左」に対応する４つの接点を持つキーであり、設定操作状態では、表示部１３に表示される操作メニューの各設定画面における、設定の選択を変更するように指示することができる。
決定キー１４ｂは、待ち受け状態においては、押下することで設定操作状態に移行し、表示部１３に操作メニューを表示させるように指示することができる。また、設定操作状態においては、決定キー１４ｂを押下することで、階層化された操作メニューの各種設定画面間の画面遷移、及び、各設定画面における設定を決定し待ち受け状態に戻ることを指示することができる。
【００１５】
次に、携帯電話機の着信の報知に係る機能構成を説明する。
図２は、携帯電話機の着信の報知に係る構成を示すブロック図である。携帯電話機は、アンテナ１１、発光部１２、表示部１３、操作部１４、ＲＦ部１５、ＢＢ部１６、制御部１７、振動モータ１８、リンガ１９の各機能ブロックを備える。
【００１６】
図１に示した構成部品に対応する機能ブロックについては、図１と同一の符号を付して説明を省略する。
ＲＦ部１５は、具体的には、フィルタ、増幅器、局部発振回路等からなり、着信時には、アンテナ１１を介して高周波信号を受信し、受信した高周波信号を中間周波数信号を経てベースバンド信号に復調し、ＢＢ部に出力する。
【００１７】
ＢＢ部１６は、着信時にはＲＦ部１５から入力するベースバンド信号を処理し、制御部１７へ着信を示す信号を出力する。
制御部１７は、具体的にはプロセッサ、ＲＯＭ（Ｒｅａｄ  Ｏｎｌｙ  Ｍｅｍｏｒｙ）、ＲＡＭ（Ｒａｎｄｏｍ      Ａｃｃｅｓｓ  Ｍｅｍｏｒｙ）等からなり、ＲＯＭに記録されたプログラムをプロセッサが読み出し実行することにより、携帯電話機の動作を制御する。制御部１７は、ＢＢ部１６からの信号および操作部１４のキー押下を入力として受け付け、発光部１２、表示部１３、振動モータ１８、およびリンガ１９へ制御信号を出力する。
【００１８】
制御部１７は、着信報知の動作モードがマナーモードであるか否か（音声モード）を示すフラグと、マナーモード時の動作対象（発光部１２の動作の有無および振動モータ１８の動作の有無）を示す情報と、音声モード時の着信音の音量を示す情報とをＲＡＭに保持している。
本実施の形態では、音声モードではリンガ１９から着信音を発音させることでユーザに着信を報知し、マナーモードではリンガ１９から着信音を発音させずに、発光部１２の発光、振動モータ１８の振動によって着信を報知する。
【００１９】
着信報知の設定処理において制御部１７は、表示部１３に後述する着信報知設定画面を表示させ、操作部１４からユーザによるキー入力を受け付ける。
着信報知設定画面においてユーザ操作により何れかの着信音の音量が選択された状態で、当該画面における着信報知の設定処理の終了が指示された場合、制御部１７の内部に含まれるマナーモード設定部２２は、着信報知の動作モードを示すフラグを音声モードに設定し、制御部１７の内部に含まれる音量調節部２１は、着信音の音量を示す情報を当該画面において選択された音量に変更する。
【００２０】
着信報知設定画面において着信音の音量として最小音量が選択された状態で、操作部１４から更に音量を減少させるキー入力を受け付けた場合、制御部１７は、当該画面をマナーモードが選択された状態に変更させる。当該画面においてマナーモードが選択された状態で、着信報知の設定処理の終了が指示された場合、マナーモード設定部２２は、着信報知の動作モードを示すフラグをマナーモードに設定する。
【００２１】
ＢＢ部１６から着信を示す信号を受け付けた場合の着信の報知処理では、制御部１７は、ＲＡＭに記録された着信報知の動作モードを示すフラグを読み出す。読み出したフラグが音声モードを示す場合、着信音の音量を示す情報を読み出し、読み出した情報に基づいてリンガ１９を動作させる制御信号を出力する。フラグがマナーモードを示す場合は、マナーモード時の動作対象を示す情報を読み出し、読み出した情報に応じて発光部１２および振動モータ１８へ制御信号を出力する。
【００２２】
振動モータ１８は、制御部１７の制御信号を受けて、着信を報知する振動を発生する。振動の強弱、継続時間などの振動パターンは、操作メニューの対応する設定画面において設定することができ、設定した振動パターンはＲＡＭに記録される。
リンガ１９は、制御部１７の制御信号をうけて、着信を報知する着信音を発音する。着信音は、電子音や音楽、録音した音声等を利用することができる。これらの音声データは、ＲＡＭに記録される。着信音として何れの音声を用いるかは、操作メニューの対応する設定画面において選択することができる。
【００２３】
尚、ＲＡＭには電力が常時供給され、上述の構成によりＲＡＭに記録された各設定の情報は継続的に保持される。
＜操作画面＞
当該携帯電話機は、待ち受け状態において決定キー１４ｂを押下することにより、設定操作状態に移行し、表示部１３に操作メニューが表示される。操作メニューは、複数の設定画面が階層化されており、各設定画面では、操作部１４のキー操作により、対応する機能の設定を変更することができる。
【００２４】
以下に、本発明に係る着信の報知動作を設定する着信報知設定画面について説明する。
図３は、着信報知設定画面の画面例である。当該画面は、操作メニューの上位の階層の画面において、操作キー１４ａを用いて当該画面に係るアイコンを選択し、決定キー１４ｂを押下することで表示される。
【００２５】
当該画面の上端には、バッテリ残量と、電波強度と、当該画面において受け付ける操作キー１４ａの操作（「上」、「下」）とが表示された状態表示領域が設けられており、当該画面の下端には、決定キー１４ｂの押下時の動作が表示された動作表示領域が設けられている。
状態表示領域と、動作表示領域とに挟まれた操作領域には、複数行にわたって、音声モードでの着信音の音量と、マナーモードとを選択する選択項目が配置されている。当該操作領域の最上行には当該画面の画面名が表示され、最下行には現在選択されている着信音の音量、または、着信報知の動作モードが表示される。
【００２６】
当該画面において、操作キー１４ａの「下」側の接点は、着信音の音量の減少を指示する減少キーとなり、当該画面において減少キーを押下するたびに、
（ａ）ステップダウンから（ｂ）ステップアップへ
（ｂ）ステップアップから（ｃ）Ｌｅｖｅｌ５（最大音量）へ
（ｃ）Ｌｅｖｅｌ５（最大音量）から（ｄ）Ｌｅｖｅｌ４へ
（ｄ）Ｌｅｖｅｌ４から（ｅ）Ｌｅｖｅｌ３へ
（ｅ）Ｌｅｖｅｌ３から（ｆ）Ｌｅｖｅｌ２へ
（ｆ）Ｌｅｖｅｌ２から（ｇ）Ｌｅｖｅｌ１へ
（ｇ）Ｌｅｖｅｌ１から（ｈ）音声ＯＦＦ（最小音量）へ
と着信音の音量の選択が、順に小さい音量へと移る。更に、（ｈ）音声ＯＦＦ（最小音量）が選択された状態で、減少キーを押下することで、（ｉ）マナーモードに画面の選択状態が移り、着信報知の動作モードが音声モードからマナーモードへ変更される。ここでステップダウンとは、着信音が最大音量から最小音量まで徐々に減少する設定であり、ステップアップとは、着信音が最小音量から最大音量まで徐々に増大する設定である。
【００２７】
一方、当該画面において、操作キー１４ａの「上」側の接点は、着信音の音量の増大を指示する増大キーとなり、当該画面において（ｉ）マナーモードが選択された状態で、増大キーを押下することで、（ｈ）音声ＯＦＦ（最小音量）に画面の選択状態が移り、着信報知の動作モードがマナーモードから音声モードへ変更される。更に、増大キーを押下するたびに、
（ｈ）音声ＯＦＦ（最小音量）から（ｇ）Ｌｅｖｅｌ１へ
（ｇ）Ｌｅｖｅｌ１から（ｆ）Ｌｅｖｅｌ２へ
（ｆ）Ｌｅｖｅｌ２から（ｅ）Ｌｅｖｅｌ３へ
（ｅ）Ｌｅｖｅｌ３から（ｄ）Ｌｅｖｅｌ４へ
（ｄ）Ｌｅｖｅｌ４から（ｃ）Ｌｅｖｅｌ５（最大音量）へ
（ｃ）Ｌｅｖｅｌ５（最大音量）から（ｂ）ステップアップへ
（ｂ）ステップアップから（ａ）ステップダウンへ
と着信音の音量の選択が、順に大きい音量へと移る。
【００２８】
また、当該画面の表示中に、増大キー、及び減少キーを継続して押下状態に保った場合、それぞれのキーを繰り返し押下した場合と同様に、選択状態が連続的に変化する。
図に示す画面例では、音声モードのＬｅｂｅｌ３の音量で報知する設定が選択されている。
【００２９】
当該画面において決定キー１４ｂを押下することにより、画面上で設定された音声モード時の着信音の音量および着信報知の動作モードが、それぞれＲＡＭに保持される情報へ反映され、当該携帯電話機の状態は、設定操作状態から待ち受け状態に遷移する。これにともない、表示部１３は、着信報知設定画面の表示を終了し、待ち受け画面を表示する。
【００３０】
また、当該画面において（ｉ）マナーモードが選択された状態で、更に減少キーを押下した場合は、決定キー１４ｂを押下した場合と同様に処理される。
つまり当該画面において、着信音の音量の設定を減少させる操作と、着信音量が最小音量の音声モードからマナーモードへ動作モードを変更させる操作と、動作モードをマナーモードに設定した状態で当該画面の表示を終了（着信報知の設定処理を終了）させる操作とを、同一のキー（減少キー）を繰り返し押下する操作で指示することができる。
【００３１】
これによって、着信音の音量とマナーモードへの切り換えとを関連付けて、感覚的に且つ迅速に着信報知の設定を操作することができる。
尚、当該画面で選択した設定をＲＡＭに保持される情報へ反映するタイミングは、決定キー１４ｂの押下時に限らず、減少キー及び増大キーの押下により画面の選択状態が変化する時点としてもよい。
【００３２】
次に、マナーモード時の動作の詳細を設定するマナーモード動作設定画面について説明する。
図４は、マナーモード動作設定画面の画面例である。当該画面は、操作メニューの上位の階層の画面において、当該画面を呼び出す操作が行われた場合に表示される。
【００３３】
当該画面では、操作キー１４ａの「上」側、及び「下」側を押下することで、マナーモード時にユーザに着信を報知する方法を、振動モータ１８の振動のみ、振動モータ１８の振動と発光部１２の発光の両方、発光部１２の発光のみ、の何れかで選択し、決定キー１４ｂを押下することで選択した設定をＲＡＭに保持される情報へ反映し、待ち受け画面に戻ることができる。
【００３４】
図に示す画面例では、振動のみで着信を報知する設定が選択されている。
このように、マナーモード時の動作を詳細に設定することで、環境に合わせた携帯電話機の使用が可能となる。
例えば、映画館のように、着信音のみならず、発光も周囲の人の迷惑となるような環境では、マナーモードの着信の報知方法を振動のみに設定することで、周囲の人に迷惑をかけず、着信をユーザにのみ報知することができる。
＜動作＞
前述した制御部１７における着信報知の設定処理について説明する。当該処理は操作部１４におけるユーザのキー操作をうけて実行される。
【００３５】
図５は、着信報知の設定処理を示すフローチャート図である。
制御部１７は、操作部１４から所定のキー入力を受け付けて、表示部１３に図３の着信報知設定画面を表示させる（Ｓ１１）。ここで、着信報知設定画面での選択状態は、ＲＡＭに保持される着信報知の動作モードを示すフラグと、着信音の音量を示す情報とに基づいて決定される。
【００３６】
制御部１７は、着信報知設定画面の表示中に決定キー１４ｂの押下を受け付けた場合は（Ｓ１２：Ｙｅｓ）、当該画面で選択された着信報知の動作モードおよび着信音の音量を、ＲＡＭに保持される着信報知の動作モードを示すフラグと着信音の音量を示す情報とに反映させ、表示部１３に当該画面の表示を終了させ（Ｓ１３）、当該着信報知の設定処理を終了する。
【００３７】
決定キー１４ｂの押下がなく（Ｓ１２：Ｎｏ）、着信報知設定画面の表示中に操作キー１４ａの「下」（減少キー）の押下を受け付けた場合（Ｓ１４：Ｙｅｓ）、制御部１７は、当該画面においてマナーモードが選択されているか否かを判定する（Ｓ１５）。マナーモードが選択されている場合は（Ｓ１５：Ｙｅｓ）、Ｓ１２において決定キー１４ｂの押下を受け付けた場合と同様に、着信報知の動作モードを示すフラグと着信音の音量を示す情報とを変更し、表示部１３に当該画面の表示を終了させ（Ｓ１３）、当該着信報知の設定処理を終了する。
【００３８】
操作キー１４ａの「下」（減少キー）の押下の受付時に、着信報知設定画面において何れかの音量が選択されている場合（Ｓ１４：Ｙｅｓ、且つ、Ｓ１５：Ｎｏ）、制御部１７は更に選択されている着信音の音量が最小音量であるか否かを判定し（Ｓ１６）、最小音量が選択されている場合は（Ｓ１６：Ｙｅｓ）、選択をマナーモードに変更し（Ｓ１７）、最小音量が選択されていない場合は（Ｓ１６：Ｎｏ）、選択を一段階小さな音量に減少させる（Ｓ１８）。Ｓ１７およびＳ１８において選択を変更した後に、制御部１７はＳ１２のキー入力の待ち受けに戻る。
【００３９】
操作キー１４ａの「下」（減少キー）の押下がなく（Ｓ１４：Ｎｏ）、着信報知設定画面の表示中に操作キー１４ａの「上」（増大キー）の押下を受け付けた場合（Ｓ１９：Ｙｅｓ）、制御部１７は、当該画面においてマナーモードが選択されているか否かを判定する（Ｓ２０）。マナーモードが選択されている場合は（Ｓ２０：Ｙｅｓ）、選択を音声モードの最小音量に変更し（Ｓ２１）、何れかの音量が選択されている場合（Ｓ２０：Ｎｏ）、選択を一段階大きな音量に増大させる（Ｓ２２）。Ｓ２１およびＳ２２において選択を変更した後に、制御部１７はＳ１２のキー入力の待ち受けに戻る。また、操作キー１４ａの「上」（増大キー）の押下がない場合（Ｓ１９：Ｎｏ）にもＳ１２のキー入力の待ち受けに戻る。
【００４０】
以上の処理の流れにより、着信の報知方法を、音声モード、マナーモードの違いを気にせず、連続した操作で設定することができる。
尚、着信報知設定画面において選択された動作モードおよび着信音の音量は、当該画面の表示の終了前にＳ１３において、ＲＡＭに保持される着信報知の動作モードを示すフラグと、着信音の音量を示す情報とに反映するとしたが、当該画面上で動作モードおよび音量の選択を変更するタイミング（Ｓ１７、Ｓ１８、Ｓ２１、Ｓ２２）毎に、ＲＡＭに保持される情報を変更するとしてもよい。
【００４１】
次に、着信報知の設定処理の他の例について説明する。
図５では、着信音の音量の変更と、動作モードの変更（音声モードとマナーモードとの切り換え）と、動作モードをマナーモードに設定した状態での処理の終了とを同一の操作で指示可能な、迅速な操作を重視した処理を説明した。
ここでは音量および動作モードの変更を指示するユーザ操作と、動作モードをマナーモードに設定した状態での処理の終了を指示するユーザ操作とに、操作感の違いを持たせた例を示す。
【００４２】
この例の処理では図５に示した処理と比較して、Ｓ１５で着信報知設定画面においてマナーモードが選択されていると判断した後の動作として、Ｓ３１あらたに設けられる。
図６は、着信報知の設定処理の他の例を示すフローチャート図である。
操作キー１４ａの「下」（減少キー）の押下の受付時に、着信報知設定画面においてマナーモードが選択されている場合（Ｓ１４：Ｙｅｓ、且つ、Ｓ１５：Ｙｅｓ）、追加されたＳ３１において、制御部１７は、操作キー１４ａの「下」（減少キー）の押下が継続した時間を計測し、計測した時間が所定時間以上（たとえば２秒以上）か否かを判定する。計測した時間が所定時間以上である場合は（Ｓ３１：Ｙｅｓ）、Ｓ１３を実行し、計測した時間が所定時間未満である場合は（Ｓ３１：Ｎｏ）、Ｓ１２のキー入力の待ち受けに戻る。
【００４３】
以上の処理の流れにより、音量および動作モードの変更と、マナーモードに設定した状態での処理の終了との操作感に違いが生じ、ユーザの誤操作による着信報知設定画面の終了を防止することができる。
尚、着信音の音量の変更のユーザ操作と、動作モードの変更のユーザ操作とに、操作感の違いを持たせるとしてもよい。この場合、操作キー１４ａの「下」（減少キー）の押下時に最小音量が選択されている場合（Ｓ１６：Ｙｅｓ）と、操作キー１４ａの「上」（増大キー）の押下時にマナーモードが選択されている場合（Ｓ２０：Ｙｅｓ）との後に、制御部１７が、対応するキーの押下が継続した時間を計測し、計測した時間が所定時間以上か否かを判定するステップをそれぞれ設け、計測した時間が所定時間以上の場合のみＳ１７およびＳ２１において動作モードを変更する。
【００４４】
また、音量の変更および動作モードの変更を、操作キー１４ａを継続して押下した時間の長さに応じて決定するとしてもよい。例えば、所定時間以上（たとえば３秒以上）継続して操作キー１４ａの「下」が押下された場合はマナーモードに設定し、押下の継続時間が所定時間未満（たとえば３秒未満）の場合に押下の継続時間に比例して着信音の音量の設定を小さい音量に変更させるとしてもよい。
【００４５】
次に、着信報知の設定処理の更に他の例について説明する。
この例では、着信報知の設定に加えて、動作モードがマナーモードに設定された場合に、マナーモード時の動作の詳細な設定を受け付ける処理の流れを示す。
この例の処理では図５に示した処理と比較して、Ｓ１３で着信報知の動作モードを示すフラグと着信音の音量を示す情報とを変更し、表示部１３に着信報知設定画面の表示を終了させた後の動作として、Ｓ４１およびＳ４２が新たに設けられる。
【００４６】
図７は、着信報知の設定処理の更に他の例を示すフローチャート図である。
Ｓ１３において、表示部１３に着信報知設定画面の表示を終了させた後に、追加されたＳ４１において、制御部１７は、動作モードを示すフラグをＲＡＭから読み出し、当該フラグがマナーモードに設定されているか否かを判定する。
フラグがマナーモードに設定されている場合は（Ｓ４１：Ｙｅｓ）、制御部１７は、表示部１３に、図４に示すマナーモード動作設定画面を表示させ、当該画面において、マナーモード時の動作の詳細な設定の変更を、ユーザから受け付ける。
【００４７】
フラグが音声モードに設定されている場合は（Ｓ４１：Ｎｏ）、マナーモード時の動作の詳細な設定を変更することなく処理を終了する。
以上の処理の流れにより、マナーモードの有効化と、マナーモード時の動作の詳細とを、一連の操作（操作キー１４ａの「上」および「下」の押下）で設定することができる。
【００４８】
尚、図７の処理において、Ｓ４１でフラグがマナーモードに設定されていると判定した場合（Ｓ４１：Ｙｅｓ）の後に、マナーモード時の詳細な動作の設定を変更するか否かを、ユーザに確認するステップを設けるとしてもよい。
この場合、当該追加したステップにおいて、マナーモード時の詳細な動作の設定を変更することを指示する操作を受け付けた場合は、Ｓ４２でマナーモード動作設定画面を表示させ、マナーモード時の詳細な動作の設定を変更しないことを指示する操作を受け付けた場合は処理を終了する。
＜その他の変形例＞
尚、本発明を上記の実施の形態に基づいて説明してきたが、本発明は、上記の実施の形態に限定されないのはもちろんである。以下のような場合も本発明に含まれる。
【００４９】
（１）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００５０】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００５１】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２）本実施の形態において、マナーモード時には着信音を発音させずに（無音化）、発光、振動によって着信を報知するとしたが、マナーモードにおいても着信音を抑えて発音させるとしてもよい。
【００５２】
（３）本実施の形態において、着信報知設定画面の選択項目は、ステップダウン、ステップアップ、音量レベル５、音量レベル４、音量レベル３、音量レベル２、音量レベル１、ＯＦＦ、マナーモード、の順に選択されるとしたが、本発明は、マナーモードがＯＦＦに続いて選択される構成に限定するものではなく、本発明においてマナーモードは、音量を段階的に減少させた場合に、最小音量に続いて選択される構成であればよい。
【００５３】
例えば、音量レベル１に続いてマナーモードが選択されるとしてもよい。
（４）上記実施の形態及び上記変形例をそれぞれ組み合わせるとしてもよい。
【００５４】
【発明の効果】
本発明に係る携帯電話機は、着信音の音量を抑えつつ、振動、発光、振動及び発光、のうちの何れかを用いて着信を報知するマナーモードを備える携帯電話機であって、着信音の音量の減少を指示する減少キーの入力操作を受け付ける操作手段と、前記減少キーの操作量が着信音の音量の設定を入力操作前の音量から最小音量に減少させる操作量を超えない場合には、前記操作量の増加に伴って段階的に着信音の音量の設定を入力操作前の音量から減少させ、前記操作量が着信音の音量の設定を入力操作前の音量から最小音量に減少させる操作量を越える場合には、前記マナーモードに設定する報知制御手段とを備える。
【００５５】
これによって、着信音の音量を減少させる操作と、着信の報知方法をマナーモードに切り替える操作とを、同一のキー操作で指示することができる。
従って、着信音を減少させる操作と、マナーモードに設定する操作とを関連付けて感覚的に操作でき、着信の報知方法に関する操作性を向上することができる。
【００５６】
また、前記操作手段は更に、着信音の音量の増大を指示する増大キーの入力操作を受け付け、前記報知制御手段は、前記マナーモードに設定されていない状態で前記増大キーの入力操作を受け付けた場合には、前記増大キーの操作量の増加に伴って段階的に着信音の音量の設定を入力操作前の音量から増大させ、前記マナーモードに設定されている状態で前記増大キーの入力操作を受け付けた場合には、マナーモードを解除するとしてもよい。
【００５７】
これによって、着信音の音量を増大させる操作と、着信の報知方法を音声モードに切り替える操作とを、同一のキー操作で指示することができる。
従って、着信音を増大させる操作と、マナーモードを解除する操作とを関連付けて感覚的に操作でき、着信の報知方法に関する操作性を向上することができる。。
【００５８】
また、前記減少キーの操作量、及び前記増大キーの操作量とは、対応するキーの押下の回数であるとしてもよい。
これによって、キーを押下する回数によって、着信音の音量の変更と、マナーモードの設定とを指示することができる。
また、前記減少キーの操作量、及び前記増大キーの操作量とは、対応するキーの押下が継続する時間であるとしてもよい。
【００５９】
これによって、キーの押下を継続する時間の長短によって、着信音の音量の変更と、マナーモードの設定とを指示することができる。
また、本発明に係る形態電話機は、所定の画面の表示中に、前記マナーモードに設定されている状態で前記操作手段において前記減少キーの入力操作を受け付けた場合に、前記所定の画面の表示を終了し、前記報知制御手段は、前記所定の画面の表示中にのみ、前記減少キーおよび前記増大キーの操作に応じて、前記着信音の音量の減少および増大と、前記マナーモードの設定および解除とを制御するとしてもよい。
【００６０】
これによって、着信の報知方法のマナーモードへの切り替と、操作を受け付ける画面の終了とを、同一のキー操作で指示することができる。
従って、着信の報知方法をマナーモードへ切り換えた場合に、操作するキーをかえずに、連続した操作で着信の報知方法の設定を終了するこができる。
また、前記報知制御手段は、前記マナーモードに設定されている状態で前記所定の画面の表示を終了する場合に、マナーモードでの着信を報知する振動の有無、およびマナーモードでの着信を報知する発光の有無のうちの少なくとも１つを、前記減少キーおよび前記増大キーの操作に応じて設定するとしてもよい。
【００６１】
これによって、着信の報知方法をマナーモードに設定するキー操作と同様のキー操作で、マナーモードにおいて着信を報知する動作の詳細を設定することができる。
【図面の簡単な説明】
【図１】本実施の形態に係る携帯電話機の概観を示す図である。
【図２】携帯電話機の着信の報知に係る構成を示すブロック図である。
【図３】着信報知設定画面の画面例である。
【図４】マナーモード動作設定画面の画面例である。
【図５】着信報知の設定処理を示すフローチャート図である。
【図６】着信報知の設定処理の他の例を示すフローチャート図である。
【図７】着信報知の設定処理の更に他の例を示すフローチャート図である。
【符号の説明】
１    筐体
２    筐体
１１    アンテナ
１２    発光部
１３    表示部
１４    操作部
１４ａ  操作キー
１４ｂ  決定キー
１５    ＲＦ部
１６    ＢＢ部
１７    制御部
１８    振動モータ
１９    リンガ
２１    音量調節部
２２    マナーモード設定部
【図１】
2004343436.tif 000003
【図２】
2004343436.tif 000004
【図３】
2004343436.tif 000005
【図４】
2004343436.tif 000006
【図５】
2004343436.tif 000007
【図６】
2004343436.tif 000008
【図７】
2004343436.tif 000009